【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
式Ｉで表される化合物：
【化１】
2012520353.tif 000001
ただし、該化合物は少なくとも２個の末端ＯＨ基または少なくとも１個の末端シロキサン基を有し、さらに、化合物が２個の末端ＯＨ基を有さない場合、ｍａは０より大きく、
Ｒ７は、Ｈまたは直鎖状または分枝状の、置換または非置換のＣ１−Ｃ４アルキル基であり、
Ｒ２１はそれぞれ独立して、Ｈ、Ｃ１−Ｃ４アルキル基、またはＲ２３であり、
ここで、
Ｒ２３は、Ｒ２５−Ｏ-(ＣＲ２５ＡＨ-ＣＲ２５ＡＨＯ)Ｘ-ＣＨＲ２５ＡＣＲ２５ＡＨ-
［式中、Ｒ２５はそれぞれ独立して、直鎖状または分枝状の、置換または非置換の、Ｃ１−Ｃ４アルキル基であり、
Ｒ２５Ａはそれぞれ独立して、Ｈ、直鎖状または分枝状の、置換または非置換の、Ｃ１−Ｃ４アルキル基であり、
ｘは、約１〜約５０である］
であり、
Ｒ５０はそれぞれ独立して、Ｒ５０ＡおよびＲ５０Ｂから選択される二価の基であり、Ｒ５１はそれぞれ独立して、Ｒ５１ＡおよびＲ５１Ｂから選択される二価の基であり、 
ここで、
Ｒ５０ＡおよびＲ５１Ａは、それぞれ独立して、
【化２】
2012520353.tif 000002
であり、
Ｒ５０ＢおよびＲ５１Ｂは、それぞれ独立して、
【化３】
2012520353.tif 000003
であり、
［式中、Ｒ２２は、それぞれ独立して、Ｈ、ハロゲン、または置換または非置換のＣ１−Ｃ４アルキルであり、ただし、少なくとも１つのＲ２２はＨである］、
Ｒ５５は、それぞれ独立して、
−Ｏ−、−ＮＨ−、−［ＣＨ２］ａ−、−［ＣＦ２］ｂ−、−［Ｃ（Ｒ２２）２］ｂ−、Ｒ５５Ａ、Ｒ５５Ｂ、Ｒ５５Ｃ、Ｒ５５Ｄ、Ｒ５５Ｅ、Ｒ５５Ｇ、Ｒ５５Ｈ
から選択される二価の基であり、
ここで、
ａはそれぞれ独立して１〜１０であり、
ｂはそれぞれ独立して２〜５０であり、
Ｒ５５Ａは、
【化４】
2012520353.tif 000004
であり、
Ｒ５５Ｂは、
【化５】
2012520353.tif 000005
であり、
ｃはそれぞれ独立して１〜５であり、
ｄはそれぞれ独立して８〜５０であり、
Ｒ５５Ｃは、
【化６】
2012520353.tif 000006
であり、
ｅは１〜１００であり、
Ｒ５５Ｄは、
【化７】
2012520353.tif 000007
であり、
Ｒ５５Ｅは、
【化８】
2012520353.tif 000008
であり、
Ｒ５５Ｆは、
【化９】
2012520353.tif 000009
［式中、Ｒ２０はそれぞれ独立してＨまたはＦである］
であり、
Ｒ５５Ｇは、
【化１０】
2012520353.tif 000010
であり、
Ｒ５５Ｈは、
−ＣＨ２-Ｒ５５Ｄ-
であり、
Ｒ６０は、それぞれ独立して、
Ｈ（ただし、ＨであるＲ６０が１つ以下である）、
ＯＨ、Ｒ２６ＯＨ、Ｒ６０Ａ、Ｒ６０Ｂ、Ｒ６０ＣおよびＲ６０Ｄであり、
ここで、
Ｒ２６は、−［ＣＨ２］ｃ−（式中、ｃは上記で定義したものである）であり、
Ｒ６０Ａは、
【化１１】
2012520353.tif 000011
［式中、Ｒ４はＣ１−Ｃ６アルキル基である］
であり、
Ｒ６０Ｂは、
【化１２】
2012520353.tif 000012
であり、
Ｒ６０Ｃは、
【化１３】
2012520353.tif 000013
であり、
、および、Ｒ６０Ｄは、
【化１４】
2012520353.tif 000014
であり、
Ｒは、それぞれ独立して、アリール、シクロアルキルおよび脂肪族アルキルまたは芳香族アルキル、多環芳香族、多環芳香族アルキルまたは多脂環式アルキルであり、
Ｒ９０はそれぞれ独立して２価のシロキサン含有基であり、ただし、Ｒ９０が２価のシロキサン含有基である場合、それに結合するＲ６０はＨまたはＯＨでなく、
Ｘは、それぞれ独立して、Ｈ、１〜約１０個の炭素原子を有し炭素原子間にエーテル架橋を有するかまたは有さないアルキルまたはハロアルキル部分、または−Ｏ−Ｓi−Ｒ９［それぞれのＲ９は、独立して、直鎖状または分枝状の、置換または非置換のＣ１−Ｃ４アルキル基である］に相当するシロキサン基、または、フェニル基であり、
ここで、
ｎａ、ｎｅおよびｎｆは、それぞれ独立して１〜４であり、
ｍａは、０または１であり、
ｎｃは、それぞれ独立して０〜６であり、
ｎｂ、ｏｂ、ｏｃおよびｏｄは、それぞれ独立して０〜４である。
【請求項２】
Ｒ７がそれぞれＨである請求項１に記載の化合物。
【請求項３】
少なくとも１つのＲ７がＨである請求項１に記載の化合物。
【請求項４】
少なくとも１つのＲ７が、直鎖状または分枝状の、置換または非置換の、Ｃ１−Ｃ４アルキル基である請求項１に記載の化合物。
【請求項５】
ｂが２〜２０である請求項１に記載の化合物。
【請求項６】
ｅが１〜５０である請求項１に記載の化合物。
【請求項７】
ｅが１〜３０である請求項１に記載の化合物。
【請求項８】
ｍａが１であり、ｎｃがそれぞれ０であり、１つのＲ６０がＯＨであり、残りのＲ６０がＲ２６ＯＨである請求項１に記載の化合物。
【請求項９】
少なくとも１つの化合物が式ＩＡ：
【化１５】
2012520353.tif 000015
で表される請求項１に記載の化合物。
【請求項１０】
ｎａおよびｎｂは、それぞれ１であり、Ｒ５０がＲ５０Ｂであり、Ｒ５１がＲ５１Ａであり、Ｒ２６が−ＣＨ２-である請求項９に記載の化合物。
【請求項１１】
少なくとも１つの化合物が式ＩＡ１：
【化１６】
2012520353.tif 000016
で表される、請求項１に記載の化合物。
【請求項１２】
ｍａが１であり、ｎｃがそれぞれ０であり、１つのＲ６０がＨであり、残りのＲ６０が１価のシロキサン含有基である請求項１１に記載の化合物。
【請求項１３】
少なくとも１つの化合物が式ＩＢ：
【化１７】
2012520353.tif 000017
で表される、請求項１に記載の化合物。
【請求項１４】
少なくとも１つのＸが−Ｏ-Ｓi-Ｒ９である請求項１３に記載の化合物。
【請求項１５】
Ｘがそれぞれ−Ｏ-Ｓi-Ｒ９である請求項１３に記載の化合物。
【請求項１６】
少なくとも１つの化合物が式ＩＢ１：
【化１８】
2012520353.tif 000018
で表される、請求項１４に記載の化合物。
【請求項１７】
ｎａ、ｎｂ、ｎｃおよびｎｅがそれぞれ１であり、Ｒ５０がＲ５０Ｂであり、Ｒ５１がＲ５１Ａであり、Ｒ２１およびＲ２２がそれぞれＨである請求項１６に記載の化合物。
【請求項１８】
少なくとも１つの化合物が式ＩＢ２：
【化１９】
2012520353.tif 000019
で表される、請求項１６に記載の化合物。
【請求項１９】
ｍａが０であり、Ｒ５０がＲ５０Ａであると共にｎａが１であり、ｎｂが０であり、ｎｃがそれぞれ２であり、１つの［Ｒ５５］２が−Ｏ-Ｒ５５Ｄ-であり、その他の［Ｒ５５］２が−Ｒ５５Ａ-Ｒ５５Ｄ-であり、ｏｃおよびｏｄがそれぞれの場合に０である請求項１に記載の化合物。
【請求項２０】
少なくとも１つの化合物が式ＩＣ：
【化２０】
2012520353.tif 000020
で表される請求項１９に記載の化合物。
【請求項２１】
少なくとも１つのＲ６０がＲ６０Ｃである請求項２０に記載の化合物。
【請求項２２】
Ｒ６０がそれぞれＲ６０Ｃであり、次の式ＩＣ１：
【化２１】
2012520353.tif 000021
で表される請求項２０に記載の化合物。
【請求項２３】
それぞれのｎｅおよびそれぞれのｎｆが１であり、次の式ＩＣ２：
【化２２】
2012520353.tif 000022
で表される請求項２２に記載の化合物。
【請求項２４】
ｍａが０であり、Ｒ５０がＲ５０Ａであると共にｎａが１であり、ｎｂが０であり、１つの［Ｒ５５］２が−Ｏ-Ｒ５５Ｄ-であると共に１つのｎｃが２であり、［Ｒ５５］５が−Ｒ５５Ａ-Ｒ５５Ｄ-Ｒ５５Ｃ-Ｏ-Ｒ５５Ｄ-であると共に１つのｎｃが５であり、それぞれの場合に０であるｏｃおよびｏｄを有し、１つのＲ６０がＲ６０Ｃであり、その他のＲ６０がＲ６０Ｄである、請求項１に記載の化合物。
【請求項２５】
少なくとも１つの化合物が式ＩＤ：
【化２３】
2012520353.tif 000023
で表される請求項１に記載の化合物。
【請求項２６】
化合物が式ＩＤ１：
【化２４】
2012520353.tif 000024
で表される請求項２５に記載の化合物。
【請求項２７】
少なくとも１つのＲ５５がハロゲン置換アルキルである、請求項１に記載の化合物。
【請求項２８】
少なくとも１つのＲ５５がフッ素置換アルキルである請求項１に記載の化合物。
【請求項２９】
少なくとも１つのｎｃが１であり、少なくとも１つのＲ５５が、−［ＣＦ２］ｂ-、Ｒ５５Ａ （ここで、Ｒ２２は、Ｈおよびハロゲンから選択される）、Ｒ５５Ｂ（ここで、Ｒ２２はＨおよびハロゲンから選択される）、およびこれらの２つ以上の組合せである請求項１に記載の化合物。
【請求項３０】
Ｒ２２がＨおよびＦから選択される請求項２９に記載の化合物。
【請求項３１】
ｍａが０であり、Ｒ５０がＲ５０Ａであると共にｎａが１であり、ｎｂが０であり、かつＲ５５は、次に示す群：
-ＣＨ２-Ｏ-ＣＦ２-Ｏ-(ＣＦ２-ＣＦ２-Ｏ)ｘ-(ＣＦ２-Ｏ)ｙ-ＣＦ２-ＣＨ２-Ｏ-
-ＣＨ２-Ｏ-ＣＦ２-Ｏ-(ＣＦ２-ＣＦ２-Ｏ)ｘ-(ＣＦ２-Ｏ)ｙ-ＣＦ２-ＣＨ２-(Ｏ-ＣＨ２-ＣＨ２)ｚ-Ｏ-
ＣＨ２-(Ｏ-ＣＨ２-ＣＨ２)ｚ-Ｏ-ＣＦ２-Ｏ-(ＣＦ２-ＣＦ２-Ｏ)ｘ-(ＣＦ２-Ｏ)ｙ-ＣＦ２-ＣＨ２-(Ｏ-ＣＨ２-ＣＨ２)ｚ-Ｏ-
の１つ以上となる組合せを含む（ここで、ｘ、ｙおよびｚは、それぞれ、群平均分子量が約１５００〜約４５００となるように選択される）、請求項１に記載の化合物。
【請求項３２】
ｘ、ｙおよびｚが、それぞれ、約２０００〜約４０００の範囲の群平均分子量となるように選択される、請求項３１に記載の化合物。
【請求項３３】
請求項１〜３２のいずれかに記載の化合物を含む反応性組成物。
【請求項３４】
請求項１〜３２のいずれかに記載のモノマー。
【請求項３５】
請求項１〜３２のいずれかに記載のマクロマー。
【請求項３６】
請求項１〜３２のいずれかに記載のオリゴマー。
【請求項３７】
請求項１〜３２のいずれかに記載の化合物から形成したヒドロゲル。
【請求項３８】
請求項３７に記載のヒドロゲルから形成したコンタクトレンズ。
【請求項３９】
少なくとも１つのＲ７がメチルである請求項１に記載の化合物。